(57)【要約】【課題】熱交換器の第１フランジ部と第１フランジ部に接続された第２フランジ部との間から熱交換器内で発生したドレンが流出することを抑制することができる温水装置を提供する。【解決手段】温水装置は、熱交換器と、箱体とを備えている。ケース１１は、周壁部１１１と、下側開口部１１３と、フランジ部１１４とを含む。ケース２１は、フランジ部２１４と、周壁部２１１と、上側開口部２１２とを含む。周壁部１１１は、上側開口部２１２から周壁部２１１の内側に挿入された垂下壁部１１ｗを含む。垂下壁部１１ｗが周壁部１１１の内側に配置された状態で、下側開口部１１３はフランジ部２１４の上面よりも下方に位置している。【選択図】図３
2018112348.tif 000002
【特許請求の範囲】
【請求項１】
熱交換部と、前記熱交換部を収容する第１ケースとを含む熱交換器と、
前記熱交換器の前記第１ケースに接続された第２ケースを含む箱体とを備え、
前記熱交換器の前記第１ケースは、第１周壁部と、前記第１周壁部の下端に設けられた第１開口部と、前記第１開口部よりも上方において前記第１周壁部から外側に張り出した第１フランジ部とを含み、
前記箱体の前記第２ケースは、前記第１フランジ部に接続された第２フランジ部と、前記第２フランジ部の内側に配置された第２周壁部と、前記第２周壁部の上端に設けられた第２開口部とを含み、
前記熱交換器の前記第１周壁部は、前記箱体の前記第２開口部から前記第２周壁部の内側に挿入された垂下壁部を含み、
前記垂下壁部が前記第２周壁部の内側に配置された状態で、前記第１開口部は前記第２フランジ部の上面よりも下方に位置している、温水装置。
【請求項２】
前記第１開口部は前記第２フランジ部の下面よりも下方に位置している、請求項１に記載の温水装置。
【請求項３】
前記垂下壁部は前記第１周壁部の周囲の全体に設けられている、請求項１または２に記載の温水装置。
【請求項４】
前記第１周壁部は板部材を含み、
前記垂下壁部は、前記板部材を前記第１周壁部の下端で折り返すことにより構成されている、請求項１〜３のいずれか１項に記載の温水装置。
【請求項５】
前記垂下壁部は、前記第２周壁部との間に隙間を介在して配置されている、請求項１〜４のいずれか１項に記載の温水装置。
【請求項６】
前記箱体は、前記第２周壁部の下端に接続された接続部を含み、
前記接続部は、前記第２周壁部の内側に向けて延在しており、かつ前記垂下壁部の下端との間に隙間を介在して配置されており、
前記垂下壁部と前記第２周壁部との間の隙間は、前記垂下壁部と前記接続部との間の隙間よりも大きい、請求項５に記載の温水装置。
【請求項７】
前記箱体は、前記第２周壁部の下端に接続された接続部を含み、
前記接続部は、前記第２周壁部の内側に向けて下り勾配を有するように傾斜しており、かつ前記垂下壁部の下端との間に隙間を介在して配置されている、請求項１〜５のいずれか１項に記載の温水装置。
【請求項８】
前記箱体は、前記接続部の内側に配置されかつ前記接続部から上方に立ち上がる立ち上がり結合部と、前記立ち上がり結合部に取り囲まれた貫通孔と、前記貫通孔に挿入された本体部とを含み、
前記立ち上がり結合部は、前記本体部の上端に外側から接合されている、請求項６または７に記載の温水装置。
【請求項９】
前記立ち上がり結合部は、前記立ち上がり結合部の上端に設けられた第１切欠き部を含み、
前記本体部は、前記本体部の上端に設けられた第２切欠き部を含み、
前記第１切欠き部は前記第２切欠き部に重なるように配置されている、請求項８に記載の温水装置。
【発明の詳細な説明】
【技術分野】
【０００１】
本発明は、温水装置に関するものである。
【背景技術】
【０００２】
加熱用気体と湯水との間で熱交換するための熱交換器を備えた温水装置は、たとえば国際公開第２０１５／１４１９９５号（特許文献１）に開示されている。この文献に記載された温水装置は、顕熱回収熱交換器および潜熱回収熱交換器を備えている。顕熱回収熱交換器のケースと潜熱回収熱交換器のケースとは互いに連通している。顕熱回収熱交換器のケースの下端に設けられた第１フランジ部と潜熱回収熱交換器のケースの上端に設けられた第２フランジ部とが互いに接続されている。
【先行技術文献】
【特許文献】
【０００３】
【特許文献１】国際公開第２０１５／１４１９９５号
【発明の概要】
【発明が解決しようとする課題】
【０００４】
上記文献に記載された温水装置では、顕熱回収熱交換内で発生したドレンは、顕熱回収熱交換器のケースの内面を伝って下方に流れる。このドレンが顕熱回収熱交換器のケースの下端に流れると、顕熱回収熱交換器の第１フランジ部と潜熱回収熱交換器の第２フランジ部との間から流出するおそれがある。
【０００５】
本発明は、上記課題に鑑みてなされたものであり、その目的は、熱交換器の第１フランジ部と第１フランジ部に接続された第２フランジ部との間から熱交換器内で発生したドレンが流出することを抑制することができる温水装置を提供することである。
【課題を解決するための手段】
【０００６】
本発明の温水装置は、熱交換器と、箱体とを備えている。熱交換器は、熱交換部と、熱交換部を収容する第１ケースとを含む。箱体は、熱交換器の第１ケースに接続された第２ケースを含む。熱交換器の第１ケースは、第１周壁部と、第１周壁部の下端に設けられた第１開口部と、第１開口部よりも上方において第１周壁部から外側に張り出した第１フランジ部とを含む。箱体の第２ケースは、第１フランジ部に接続された第２フランジ部と、第２フランジ部の内側に配置された第２周壁部と、第２周壁部の上端に設けられた第２開口部とを含む。熱交換器の第１周壁部は、箱体の第２開口部から第２周壁部の内側に挿入された垂下壁部を含む。垂下壁部が第２周壁部の内側に配置された状態で、第１開口部は第２フランジ部の上面よりも下方に位置している。
【０００７】
本発明の温水装置によれば、垂下壁部が第２周壁部の内側に配置された状態で、第１開口部は第２フランジ部の上面よりも下方に位置している。したがって、熱交換器内で発生したドレンは垂下壁部を伝って第１開口部から下方に流れるため、ドレンが第１開口部から第２フランジ部の上面に流れ込むことを抑制することができる。これにより、第１フランジ部と第２フランジ部との間から熱交換器内で発生したドレンが流出することを抑制することができる。
【０００８】
上記の温水装置において、第１開口部は第２フランジ部の下面よりも下方に位置している。したがって、第１開口部から第２フランジ部の上面までの上下方向の距離は第２フランジ部の上面から下面までの上下方向の距離よりも離れているため、熱交換器内で発生したドレンが第１開口部から第２フランジ部の上面に流れ込むことを効果的に抑制することができる。
【０００９】
上記の温水装置において、垂下壁部は第１周壁部の周囲の全体に設けられている。このため、第１周壁部の周囲の全体において熱交換器内で発生したドレンが第１開口部から第２フランジ部の上面に流れ込むことを抑制することができる。
【００１０】
上記の温水装置において、第１周壁部は板部材を含む。垂下壁部は、板部材を第１周壁部の下端で折り返すことにより構成されている。したがって、第１周壁部の下端から垂下壁部の内部に熱交換器内で発生したドレンが流入することを防止することができる。このため、ドレンによって垂下壁部が内部から腐食することを防止することができる。
【００１１】
上記の温水装置において、垂下壁部は、第２周壁部との間に隙間を介在して配置されている。このため、熱交換器内で発生したドレンが表面張力によって第１開口部から垂下壁部と第２周壁部との間を通って第２フランジ部の上面に流れ込むことを抑制することができる。
【００１２】
上記の温水装置において、箱体は、第２周壁部の下端に接続された接続部を含む。接続部は、第２周壁部の内側に向けて延在しており、かつ垂下壁部の下端との間に隙間を介在して配置されている。垂下壁部と第２周壁部との間の隙間は、垂下壁部と接続部との間の隙間よりも大きい。したがって、熱交換器内で発生したドレンは垂下壁部と第２周壁部との間の隙間よりも垂下壁部と接続部との間の隙間に流れやすいため、ドレンが垂下壁部と第２周壁部との間に流れることを抑制することができる。これにより、熱交換器内で発生したドレンが垂下壁部と第２周壁部との間を通って第２フランジ部の上面に流れ込むことを抑制することができる。
【００１３】
上記の温水装置において、箱体は、第２周壁部の下端に接続された接続部を含む。接続部は、第２周壁部の内側に向けて下り勾配を有するように傾斜しており、かつ垂下壁部の下端との間に隙間を介在して配置されている。したがって、熱交換器内で発生したドレンは接続部を伝って第２周壁部の内側に向けて流れるため、ドレンが第２フランジ部に向けて流れることを抑制することができる。これにより、熱交換器内で発生したドレンが第２フランジ部の上面に流れ込むことを抑制することができる。
【００１４】
上記の温水装置において、箱体は、接続部の内側に配置されかつ接続部から上方に立ち上がる立ち上がり結合部と、立ち上がり結合部に取り囲まれた貫通孔と、貫通孔に挿入された本体部とを含む。立ち上がり結合部は、本体部の上端に外側から接合されている。このため、立ち上がり結合部を本体部の上端に溶接することが容易となる。
【００１５】
上記の温水装置において、立ち上がり結合部は、立ち上がり結合部の上端に設けられた第１切欠き部を含む。本体部は、本体部の上端に設けられた第２切欠き部を含む。第１切欠き部は第２切欠き部に重なるように配置されている。このため、第１切欠き部および第２切欠き部からドレンを貫通孔に流すことができる。これにより、ドレンの排出が容易となる。
【発明の効果】
【００１６】
以上説明したように、本発明によれば、熱交換器の第１フランジ部と第１フランジ部に接続された第２フランジ部との間から熱交換器内で発生したドレンが流出することを抑制することができる熱交換器を提供することができる。
【図面の簡単な説明】
【００１７】
【図１】本発明の実施の形態１における温水装置の構成を模式的に示す図である。
【図２】本発明の実施の形態１における顕熱回収熱交換器および潜熱回収熱交換器の構成を概略的に示す斜視図である。
【図３】本発明の実施の形態１における顕熱回収熱交換器および潜熱回収熱交換器の構成を概略的に示す断面図である。
【図４】本発明の実施の形態１における顕熱回収熱交換器および潜熱回収熱交換器の構成を概略的に示す分解斜視図である。
【図５】本発明の実施の形態１における顕熱回収熱交換器の構成を概略的に示す斜視図である。
【図６】本発明の実施の形態１における潜熱回収熱交換器の構成を概略的に示す斜視図である。
【図７】図４のＶＩＩ部を示す拡大図である。
【図８】図３のＶＩＩＩ部を示す拡大図である。
【図９】比較例の図８に対応する部分を示す断面図である。
【図１０】本発明の実施の形態２における顕熱回収熱交換器、潜熱回収熱交換器、排気集合筒およびダクトの構成を概略的に示す断面図である。
【図１１】図１０のＸＩ部を示す拡大図である。
【発明を実施するための形態】
【００１８】
以下、本発明の実施の形態について図に基づいて説明する。
（実施の形態１）
まず、本発明の実施の形態１における温水装置の構成について図１を用いて説明する。
【００１９】
図１に示されるように、本実施の形態の温水装置１００は、顕熱回収熱交換器（一次熱交換器）１０と、点火プラグ１４と、潜熱回収熱交換器（二次熱交換器）２０と、バーナ３０と、チャンバ３１と、送風装置３２と、ダクト３３と、ベンチュリ３４、オリフィス３５、ガスバルブ３６、配管４０と、バイパス配管４１と、三方弁４２と、液液熱交換器４３と、温水配管４４と、筐体５０と、排気集合筒７０とを主に有している。筐体５０の内部に、上記の部品のうち筐体５０を除く全ての部品が配置されている。
【００２０】
燃料ガスは、ガスバルブ３６とオリフィス３５とを通じてベンチュリ３４に流れる。ベンチュリ３４で混合された混合ガスは送風装置３２に送られる。送風装置３２は、混合ガスをバーナ３０へ供給するためのものである。
【００２１】
送風装置３２はチャンバ３１に接続されており、チャンバ３１はバーナ３０に接続されている。送風装置３２から供給された混合ガスは、チャンバ３１を通じてバーナ３０に送られる。
【００２２】
バーナ３０は、顕熱回収熱交換器（熱交換器）１０に供給される加熱用気体を発生させるためのものである。バーナ３０から吹出される混合ガスは、点火プラグ１４によって着火され、燃焼ガスとなる。
【００２３】
燃焼ガスが顕熱回収熱交換器１０および潜熱回収熱交換器２０を順に通過して湯水と熱交換するように、バーナ３０、顕熱回収熱交換器１０および潜熱回収熱交換器２０が接続されている。潜熱回収熱交換器２０には排気集合筒７０が接続されている。排気集合筒７０にはダクト３３が接続されており、ダクト３３は筐体５０の外部へ延びている。これにより、潜熱回収熱交換器２０を通過した燃焼ガスは、排気集合筒７０を経由してダクト３３を通じて筐体５０の外部へ排出される。
【００２４】
顕熱回収熱交換器１０よりも出湯側の配管４０の部分とバイパス配管４１とは三方弁４２で接続されている。バイパス配管４１には液液熱交換器４３が接続されている。液液熱交換器４３の内部を流れる温水が温水配管４４の外側を流れることにより、液液熱交換器４３の内部を流れる温水と温水配管４４の内部を流れる温水との間で熱交換を行うことが可能となる。
【００２５】
次に、図２〜図８を用いて、本実施の形態の熱交換器セットの構成について説明する。図２に示されるように、熱交換器セットは、顕熱回収熱交換器（熱交換器）１０と、潜熱回収熱交換器（箱体）２０と、シール部材６０とを有している。本実施の形態では、顕熱回収熱交換器１０が特許請求の範囲の熱交換器に相当し、潜熱回収熱交換器２０が特許請求の範囲の箱体に相当する。
【００２６】
図３および図４に示されるように、顕熱回収熱交換器１０は潜熱回収熱交換器２０の上にシール部材６０を介して配置されている。つまり、顕熱回収熱交換器１０と、潜熱回収熱交換器２０との間にシール部材６０が挟まれている。シール部材６０は環状に構成されている。またシール部材６０は平板状に構成されている。なお、シール部材６０は、顕熱回収熱交換器１０と、潜熱回収熱交換器２０との間に配置されていなくてもよい。
【００２７】
図２および図３に示されるように、本実施の形態の顕熱回収熱交換器１０は、ケース（第１ケース）１１と、ヘッダ１２と、伝熱管（吸熱パイプ）１３と、フィン１６と、押さえ部材１７と、固定部材１８とを主に有している。ケース１１の内部に位置する伝熱管（吸熱パイプ）１３およびフィン１６が熱交換部１５を構成している。
【００２８】
ケース１１は熱交換部１５を収容する。ケース１１は、周壁部（第１周壁部）１１１と、上側開口部１１２と、下側開口部（第１開口部）１１３と、フランジ部（第１フランジ部）１１４とを有している。ケース１１は、第１側壁１１ａ、第２側壁１１ｂ、第３側壁１１ｃおよび第４側壁１１ｄを有している。第１側壁１１ａ〜第４側壁１１ｄは、四角の枠状となるように接続されている。第１側壁１１ａ〜第４側壁１１ｄは周壁部１１１を構成している。
【００２９】
上記枠形状を有するケース１１は、上側開口部１１２および下側開口部１１３を有している。これにより、ケース１１の上側開口部１１２を通ってケース１１の内部に燃焼ガスが給気可能である。またケース１１の下側開口部１１３を通って燃焼ガスがケース１１の外部へ排気可能である。
【００３０】
第１側壁１１ａの外面にヘッダ１２が設けられている。第１側壁１１ａの外面に設けられたヘッダ１２には、入水側の継手１３ａおよび出湯側の継手１３ｂが取り付けられている。第３側壁１１ｃの外面にも図示しないヘッダ１２が設けられている。
【００３１】
第１側壁１１ａの外面に設けられたヘッダ１２と、第３側壁１１ｃの外面に設けられたヘッダ１２とは複数の伝熱管１３で接続されている。複数の伝熱管１３は、ケース１１の内部に位置する伝熱管１３と、ケース１１の外部に位置する伝熱管１３とを有している。
【００３２】
ヘッダ１２と伝熱管１３とを流通する湯水の流れはたとえば以下のようになる。
入水側の継手１３ａから入水した湯水は、第１側壁１１ａの外面の最も一方端側に設けられたヘッダ１２を通じて、ケース１１の内部に位置する伝熱管１３に入る。この伝熱管１３内に入った湯水は、第３側壁１１ｃの外面に設けられた図示しないヘッダ１２に達する。第３側壁１１ｃの外面に設けられたヘッダ１２に達した湯水は、当該ヘッダ１２に接続された別の伝熱管１３を通って第１側壁１１ａの外面に設けられたヘッダ１２に達する。このように湯水は、第１側壁１１ａ側から第３側壁１１ｃ側へ向かった後に、第３側壁１１ｃ側から第１側壁１１ａ側へ折り返される。その後、湯水は、第３側壁１１ｃ側への折り返しと第１側壁１１ａ側への折り返しとが繰り返されるように流れる。
【００３３】
上記により第１側壁１１ａの外面の最も他方端側に設けられたヘッダ１２に到達した湯水は、第２側壁１１ｂの外面に設けられた伝熱管１３を通って第３側壁１１ｃの外面に設けられたヘッダ１２に達する。第３側壁１１ｃの外面に設けられたヘッダ１２に達した湯水は、第４側壁１１ｄの外面に設けられた伝熱管１３を通って第１側壁１１ａの外面に設けられたヘッダ１２に達し、最後に、湯側の継手１３ｂから出湯する。
【００３４】
図３および図４に示されるように、フランジ部１１４は、下側開口部１１３よりも上方において周壁部１１１から外側に張り出している。周壁部１１１は、周壁部１１１の下端に配置された垂下壁部１１ｗを有している。垂下壁部１１ｗはフランジ部１１４よりも下方に配置されている。垂下壁部１１ｗの下端に下側開口部１１３が設けられている。
【００３５】
図５に示されるように、フランジ部１１４は周壁部１１１の周囲の全体に亘って設けられている。垂下壁部１１ｗは周壁部１１１の周囲の全体に設けられている。垂下壁部１１ｗは四角の枠状となるように構成されている。
【００３６】
図３および図５に示されるように、ケース１１の内部に位置する伝熱管１３の外周面には、複数のフィン１６が接続されている。なお、図５においては、説明の簡略化のため、フィンの図示は省略されている。
【００３７】
図３および図４を参照して、潜熱回収熱交換器２０は、ケース（第２ケース）２１と、熱交換部２２と、継手部２３とを主に有している。ケース２１はケース１１に接続されている。
【００３８】
ケース２１は、周壁部（第２周壁部）２１１と、上側開口部（第２開口部）２１２と、下側開口部２１３と、フランジ部（第２フランジ部）２１４と、接続部２１５と、立ち上がり結合部２１６と、貫通孔２１７と、本体部２１８とを有している。
【００３９】
ケース２１は熱交換部２２を収容する。ケース２１の周壁部２１１は、垂下壁部１１ｗの周囲を取り囲むように構成されている。周壁部２１１は四角の枠状となるように構成されている。上記枠形状を有するケース２１は上側開口部２１２および下側開口部２１３を有している。これにより、ケース２１の上側開口部２１２を通ってケース２１の内部に燃焼ガスが給気可能である。またケース２１の下側開口部２１３を通って燃焼ガスがケース２１の外部へ排気可能である。
【００４０】
熱交換部２２は外部を流れる加熱用気体と内部を流れる湯水との間で熱交換するためのものである。熱交換部２２は複数の伝熱プレートを有している。複数の伝熱プレートは互いに積層されている。複数の伝熱プレートの互いに隣り合う伝熱プレート同士はろう付けされている。複数の伝熱プレートの互いに隣り合う一対の伝熱プレートの間は、湯水を通す流路を構成している。複数の伝熱プレートの互いに隣り合う一対の伝熱プレート同士の間の空間は燃焼ガスを通す流路を構成している。
【００４１】
一対の継手部２３は、熱交換部２２の複数の伝熱プレートに湯水を流出入させるためのものである。一対の継手部２３の各々は、配管を接続するための継手である。一対の継手部２３の各々の流路は、複数の伝熱プレートの各々の内部流路に接続されている。したがって、入水側の継手部２３から入水した湯水は、一対の伝熱プレートの各々の内部流路内を流れてから出湯側の継手部２３から出湯する。
【００４２】
図４および図６に示されるように、フランジ部２１４は、ケース２１の上端に配置されている。フランジ部２１４は環状に構成されている。フランジ部２１４は、周壁部２１１からケース２１の外側に張り出している。フランジ部２１４は周壁部２１１の上端に接続されている。周壁部２１１はフランジ部２１４の内側に配置されている。上側開口部２１２は周壁部２１１の上端に設けられている。上側開口部２１２は周壁部２１１の内側に設けられている。フランジ部２１４にシール部材６０が載置されている。
【００４３】
立ち上がり結合部２１６は、接続部２１５の内側に配置されている。立ち上がり結合部２１６は、接続部２１５から上方に立ち上がっている。貫通孔２１７は、立ち上がり結合部２１６に取り囲まれている。本体部２１８は貫通孔２１７に挿入されている。本体部２１８は熱交換部２２の周囲を取り囲むように構成されている。立ち上がり結合部２１６は、貫通孔２１７に挿入された本体部２１８の上端に外側から接合されている。
【００４４】
図７に示されるように、立ち上がり結合部２１６の上端に第１切欠き部２１６ａが設けられている。したがって、立ち上がり結合部２１６は、第１切欠き部２１６ａにおいて高さが低くなっている。本体部２１８の上端の第２切欠き部２１８ａが設けられている。したがって、本体部２１８の上端は、第２切欠き部２１８ａにおいて高さが低くなっている。
【００４５】
本体部２１８の上端が貫通孔２１７に挿入された状態で第１切欠き部２１６ａは第２切欠き部２１８ａに重なるように配置されている。つまり、第１切欠き部２１６ａおよび第２切欠き部２１８ａは互いに連通するように配置されている。
【００４６】
貫通孔２１７は、フランジ部２１４を上方から見たときに、四角形状を有している。第１切欠き部２１６ａおよび第２切欠き部２１８ａは、貫通孔２１７の四隅にそれぞれ設けられている。
【００４７】
図３および図８に示されるように、潜熱回収熱交換器２０のケース２１のフランジ部２１４は、顕熱回収熱交換器１０のケース１１のフランジ部１１４に接続されている。ケース１１の垂下壁部１１ｗは、ケース２１の上側開口部２１２から周壁部２１１の内側に挿入されている。ケース１１の垂下壁部１１ｗがケース２１の周壁部２１１の内側に配置された状態で、ケース１１の下側開口部１１３はケース２１のフランジ部２１４の上面よりも下方に位置している。本実施の形態では、ケース１１の下側開口部１１３は、ケース２１のフランジ部２１４の下面よりも下方に位置している。
【００４８】
ケース１１の周壁部１１１は板部材を含んでいる。周壁部１１１の垂下壁部１１ｗは、板部材を周壁部１１１の下端で折り返すことにより構成されている。つまり、垂下壁部１１ｗは１枚の板部材を折り返すことにより構成されている。また、本実施の形態では、フランジ部１１４は一枚の板部材を折り曲げることにより構成されている。すなわち、ケース１１の第１側壁１１ａ〜第４側壁１１ｄの各々において、周壁部１１１、垂下壁部１１ｗおよびフランジ部１１４は１枚の板部材により構成されている。
【００４９】
ケース１１の垂下壁部１１ｗは、ケース２１の周壁部２１１との間に隙間を介在して配置されている。つまり、垂下壁部１１ｗは周壁部２１１に密着していない。垂下壁部１１ｗと周壁部２１１との間の隙間は、周壁部１１１の外側に設けられている。本実施の形態では、垂下壁部１１ｗと周壁部２１１との間の隙間は、周壁部１１１の周囲の全体に設けられている。
【００５０】
ケース２１の接続部２１５は周壁部２１１の下端に接続されている。接続部２１５は、周壁部２１１の内側に向けて延在している。接続部２１５は垂下壁部１１ｗの下端との間に隙間を介在して配置されている。接続部２１５と垂下壁部１１ｗの下端との間の隙間は、垂下壁部１１ｗの下端の真下に設けられている。垂下壁部１１ｗと周壁部２１１との隙間は、垂下壁部１１ｗと接続部２１５との隙間よりも大きい。本実施の形態では、接続部２１５は、周壁部２１１の内側に向けて下り勾配を有するように傾斜している。
【００５１】
図２および図３に示されるように、顕熱回収熱交換器１０では、伝熱管１３へ入水する湯水の温度が低い場合、またはバーナ３０の加熱量が少ない場合などにおいて、ドレンが発生する。このドレンは、顕熱回収熱交換器１０から潜熱回収熱交換器２０に流入する。
【００５２】
図３および図８に示されるように、顕熱回収熱交換器１０から潜熱回収熱交換器２０に流入したドレンは、熱交換部２２に流れる。具体的には、図３および図８中矢印で示されるように、顕熱回収熱交換器１０で発生したドレンは、ケース１１の周壁部１１１の内面を伝って下側開口部１１３からケース２１の接続部２１５に流れ落ちる。このドレンは接続部２１５の傾斜に沿って接続部２１５の上面を斜め下方に周壁部２１１の内側に向かって流れる。ドレンは立ち上がり結合部２１６に達すると第１切欠き部２１６ａおよび第２切欠き部２１８ａを通って熱交換部２２に流れる。熱交換部２２に流れ込んだドレンは、熱交換部２２を通過し、下側開口部２１３から流出する。
【００５３】
次に、本実施の形態の作用効果について比較例と対比して説明する。
比較例では、特に説明しない限り、上記の本実施の形態と同様の構成を備えているため、同一の要素については同一の符号を付し、その説明を繰り返さない。
【００５４】
図９を用いて比較例について説明する。比較例では、本実施の形態の垂下壁部が設けられていない。そのため、図９中矢印で示されるように、顕熱回収熱交換１０内で発生したドレンは、ケース１１の周壁部１１１の内面を伝って下方に流れる。このドレンが周壁部１１１の下端に流れると、ドレンが顕熱回収熱交換器１０のフランジ部１１４と潜熱回収熱交換器２０のフランジ部２１４との間に流れ込むおそれがある。その結果、ドレンが顕熱回収熱交換器１０のフランジ部１１４と潜熱回収熱交換器２０のフランジ部２１４との間を通って顕熱回収熱交換器１０および潜熱回収熱交換器２０の外部に流出するおそれがある。
【００５５】
これに対して、本実施の形態の温水装置１００によれば、図８に示されるように、垂下壁部１１ｗが周壁部（第１周壁部）２１１の内側に配置された状態で、下側開口部（第１開口部）１１３はフランジ部（第２フランジ部）２１４の上面よりも下方に位置している。したがって、顕熱回収熱交換器１０内で発生したドレンは垂下壁部１１ｗの内面を伝って下側開口部（第１開口部）１１３から下方に流れるため、ドレンが下側開口部（第１開口部）１１３よりも上方に位置するフランジ部（第２フランジ部）２１４の上面に流れ込むことを抑制することができる。これにより、フランジ部（第１フランジ部）１１４の下面とフランジ部（第２フランジ部）２１４の上面との間から顕熱回収熱交換器１０内で発生したドレンが流出することを抑制することができる。
【００５６】
さらに、下側開口部（第１開口部）１１３はフランジ部（第２フランジ部）２１４の下面よりも下方に位置している。したがって、下側開口部（第１開口部）１１３からフランジ部（第２フランジ部）２１４の上面までの上下方向の距離はフランジ部（第２フランジ部）２１４の上面から下面までの上下方向の距離よりも離れているため、顕熱回収熱交換器１０内で発生したドレンが下側開口部（第１開口部）１１３からフランジ部（第２フランジ部）２１４の上面に流れ込むことを効果的に抑制することができる。
【００５７】
また、図５に示されるように、垂下壁部１１ｗは周壁部（第１周壁部）１１１の周囲の全体に設けられている。このため、周壁部（第１周壁部）１１１の周囲の全体において顕熱回収熱交換器１０内で発生したドレンが下側開口部（第１開口部）１１３からフランジ部（第２フランジ部）２１４の上面に流れ込むことを抑制することができる。
【００５８】
また、図８に示されるように、垂下壁部１１ｗは、板部材を周壁部（第１周壁部）１１１の下端で折り返すことにより構成されている。したがって、周壁部（第１周壁部）１１１の下端から垂下壁部１１ｗの内部に顕熱回収熱交換器１０内で発生したドレンが流入することを防止することができる。このため、ドレンによって垂下壁部１１ｗが内部から腐食することを防止することができる。
【００５９】
また、垂下壁部１１ｗは、周壁部（第２周壁部）２１１との間に隙間を介在して配置されている。このため、顕熱回収熱交換器１０内で発生したドレンが表面張力によって下側開口部（第１開口部）１１３から垂下壁部１１ｗと周壁部（第２周壁部）２１１との間を通ってフランジ部（第２フランジ部）２１４の上面に流れ込むことを抑制することができる。
【００６０】
また、垂下壁部１１ｗと周壁部（第２周壁部）２１１との間の隙間は、垂下壁部１１ｗと接続部２１５との間の隙間よりも大きい。したがって、顕熱回収熱交換器１０内で発生したドレンは垂下壁部１１ｗと周壁部（第２周壁部）２１１との間の隙間よりも垂下壁部１１ｗと接続部２１５との間の隙間に流れやすいため、ドレンが垂下壁部１１ｗと周壁部（第２周壁部）２１１との間に流れることを抑制することができる。これにより、顕熱回収熱交換器１０内で発生したドレンが垂下壁部１１ｗと周壁部（第２周壁部）２１１との間を通ってフランジ部（第２フランジ部）２１４の上面に流れ込むことを抑制することができる。
【００６１】
また、接続部２１５は、周壁部（第２周壁部）２１１の内側に向けて下り勾配を有するように傾斜している。したがって、顕熱回収熱交換器１０内で発生したドレンは接続部２１５の内面を伝って周壁部（第２周壁部）２１１の内側に向けて流れるため、ドレンがフランジ部（第２フランジ部）２１４に向けて流れることを抑制することができる。これにより、顕熱回収熱交換器１０内で発生したドレンがフランジ部（第２フランジ部）２１４の上面に流れ込むことを抑制することができる。また、潜熱回収熱交換器２０の全体が周壁部（第２周壁部）２１１の外側に向けて傾斜した場合に、接続部２１５に付着したドレンがフランジ部（第２フランジ部）２１４に向けて流れることを抑制することができる。
【００６２】
図７に示されるように、立ち上がり結合部２１６は、本体部２１８の上端に外側から接合されている。このため、立ち上がり結合部２１６を本体部２１８の上端に溶接することが容易となる。
【００６３】
また、立ち上がり結合部２１６の上端に設けられた第１切欠き部２１６ａは本体部２１８の上端に設けられた第２切欠き部２１８ａに重なるように配置されている。このため、第１切欠き部２１６ａおよび第２切欠き部２１８ａからドレンを貫通孔２１７に流すことができる。これにより、ドレンの排出が容易となる。
【００６４】
（実施の形態２）
本発明の実施の形態２では、特に説明しない限り、上記の本発明の実施の形態１と同様の構成を備えているため、同一の要素については同一の符号を付し、その説明を繰り返さない。
【００６５】
上記の実施の形態１では、顕熱回収熱交換器１０が特許請求の範囲の熱交換器に相当し、潜熱回収熱交換器２０が特許請求の範囲の箱体に相当する場合について説明した。これに対して、本実施の形態では、潜熱回収熱交換器２０が特許請求の範囲の熱交換器に相当し、排気集合筒７０が特許請求の範囲の箱体に相当する。
【００６６】
図１０および図１１に示されるように、潜熱回収熱交換器２０は排気集合筒７０の上にシール部材８０を介して配置されている。つまり、潜熱回収熱交換器２０と、排気集合筒７０との間にシール部材８０が挟まれている。なお、シール部材８０は、潜熱回収熱交換器２０と、排気集合筒７０との間に配置されていなくてもよい。
【００６７】
潜熱回収熱交換器２０のケース（第１ケース）２１はフランジ部（第１フランジ部）２１９を有している。フランジ部２１９は下側開口部（第１開口部）２１３よりも上方において本体部（第１周壁部）２１８から外側に張り出している。本体部２１８は、本体部２１８の下端に配置された垂下壁部２１ｗを有している。
【００６８】
排気集合筒７０は、ケース（第２ケース）７１と、仕切板７２とを主に有している。ケース７１は、潜熱回収熱交換器２０のケース２１に接続されている。ケース７１は、周壁部（第２周壁部）７１１と、上側開口部（第２開口部）７１２と、接続開口部７１３と、フランジ部（第２フランジ部）７１４とを有している。
【００６９】
ケース７１の周壁部７１１は垂下壁部２１ｗの外側に配置されている。ケース７１の上側開口部７１２を通ってケース７１の内部に燃焼ガスが給気可能である。またケース７１の接続開口部７１３を通って燃焼ガスがダクト３３へ排気可能である。
【００７０】
フランジ部７１４はケース７１の上端に配置されている。フランジ部７１４は周壁部７１１からケース７１の外側に張り出している。フランジ部７１４は周壁部７１１の上端に接続されている。周壁部７１１はフランジ部７１４の内側に配置されている。上側開口部７１２は周壁部７１１の上端に設けられている。上側開口部７１２は周壁部７１１の内側に設けられている。接続開口部７１３はダクト３３に接続されている。フランジ部７１４にシール部材８０が載置されている。
【００７１】
ケース７１のフランジ部７１４は、潜熱回収熱交換器２０のケース２１のフランジ部２１４に接続されている。ケース２１の垂下壁部２１ｗは、ケース７１の上側開口部７１２から周壁部７１１の内側に挿入されている。ケース２１の垂下壁部２１ｗがケース７１の周壁部７１１の内側に配置された状態で、ケース２１の下側開口部２１３はケース７１のフランジ部７１４の上面よりも下方に位置している。本実施の形態では、ケース２１の下側開口部２１３は、ケース７１のフランジ部７１４の下面よりも下方に位置している。
【００７２】
ケース２１の垂下壁部２１ｗは、ケース７１の周壁部７１１との間に隙間を介在して配置されている。垂下壁部２１ｗと周壁部７１１との間の隙間は、周壁部７１１の外側に設けられている。
【００７３】
ケース７１は仕切板７２を収容する。仕切板７２は熱交換部２２の下方に配置されている。仕切板７２には複数の孔７２ａが設けられている。潜熱回収熱交換器２０から排気集合筒７０に流入した燃焼ガスは複数の孔７２ａを通ってダクト３３に流れる。また潜熱回収熱交換器２０から排気集合筒７０に流入したドレンは複数の孔７２ａを通ってケース７１の下面に設けられた排出口７１ａから排出される。
【００７４】
次に、本実施の形態の作用効果について説明する。
本実施の形態の温水装置１００によれば、潜熱回収熱交換器２０内で発生したドレンは垂下壁部２１ｗの内面を伝って下側開口部（第１開口部）２１３から下方に流れるため、ドレンが下側開口部（第１開口部）２１３よりも上方に位置するフランジ部（第２フランジ部）７１４の上面に流れ込むことを抑制することができる。これにより、フランジ部（第１フランジ部）２１４の下面とフランジ部（第２フランジ部）７１４の上面との間から潜熱回収熱交換器２０内で発生したドレンが流出することを抑制することができる。
【００７５】
さらに、下側開口部（第１開口部）２１３はフランジ部（第２フランジ部）７１４の下面よりも下方に位置している。したがって、下側開口部（第１開口部）２１３からフランジ部（第２フランジ部）７１４の上面までの上下方向の距離はフランジ部（第２フランジ部）７１４の上面から下面までの上下方向の距離よりも離れているため、潜熱回収熱交換器２０内で発生したドレンが下側開口部（第１開口部）２１３からフランジ部（第２フランジ部）７１４の上面に流れ込むことを効果的に抑制することができる。
【００７６】
また、垂下壁部２１ｗは、周壁部（第２周壁部）７１１との間に隙間を介在して配置されている。このため、潜熱回収熱交換器２０内で発生したドレンが表面張力によって下側開口部（第１開口部）２１３から垂下壁部２１ｗと周壁部（第２周壁部）７１１との間を通ってフランジ部（第２フランジ部）７１４の上面に流れ込むことを抑制することができる。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７８】
１０  顕熱回収熱交換器、１１，２１，７１  ケース、１１ｗ，２１ｗ  垂下壁部、１２  ヘッダ、１３  伝熱管、１４  点火プラグ、１５，２２  熱交換部、１６  フィン、１７  押さえ部材、１８  固定部材、２０  潜熱回収熱交換器、３０  バーナ、４０  配管、５０  筐体、６０，８０  シール部材、７０  排気集合筒、１００  温水装置、１１１，２１１，７１１  周壁部、１１２，２１２，７１２  上側開口部、１１３，２１３  下側開口部、１１４，２１４，２１９，７１４  フランジ部、２１５  接続部、２１６  立ち上がり結合部、２１６ａ  第１切欠き部、２１７  貫通孔、２１８  本体部、２１８ａ  第２切欠き部。
【図１】
2018112348.tif 000003
【図２】
2018112348.tif 000004
【図３】
2018112348.tif 000005
【図４】
2018112348.tif 000006
【図５】
2018112348.tif 000007
【図６】
2018112348.tif 000008
【図７】
2018112348.tif 000009
【図８】
2018112348.tif 000010
【図９】
2018112348.tif 000011
【図１０】
2018112348.tif 000012
【図１１】
2018112348.tif 000013